(57)【要約】【課題】  ゴミ投入口を設置するための壁がない場合や建物の２階以上のフロアに設置される場合においても適用可能であり、構造が簡単でゴミの収納量を多くすることができるキッチンユニットを提供すること。【解決手段】  キャビネット２上側に設けられたカウンター３と、このカウンター３の上面からキャビネット２内部へ貫通するように設けられたゴミ投入口４と、上端がゴミ投入口４に接続されて下端からゴミを排出するダクト５と、ダクト５の下端と着脱自在に連結される連結口６を有しゴミ投入口４から投入されたゴミを収納するゴミ収納部７とを備え、ゴミ収納部７には、収納されたゴミが連結口６から離れていくようにゴミを吸引するための吸引装置８が備えられてなるようにする。【選択図】図１
2005304865.tif 000002
【特許請求の範囲】
【請求項１】
キャビネット上側に設けられたカウンターと、
このカウンターの上面からキャビネット内部へ貫通するように設けられたゴミ投入口と、
上端がゴミ投入口に接続されて下端からゴミを排出するダクトと、
ダクトの下端と着脱自在に連結される連結口を有しゴミ投入口から投入されたゴミを収納するゴミ収納部とを備えたキッチンユニットであって、
前記ゴミ収納部には、収納されたゴミが前記連結口から離れていくようにゴミを吸引するための吸引装置が備えられてなることを特徴とするキッチンユニット。
【請求項２】
前記ゴミ収納部において、前記連結口が奥側に設けられるとともに吸引装置が手前側に設けられ、収納されたゴミが奥側から手前側に向かって吸引されることを特徴とする請求項１に記載のキッチンユニット。
【請求項３】
前記吸引装置には、吸引装置から排出される臭気をゴミ収納部の後部へ移動させる排気筒が備えられてなることを特徴とする請求項２に記載のキッチンユニット。
【請求項４】
前記キャビネットは引出しと引出しを収容する収容部を備えてなり、この引出し内に前記ゴミ収納部が収められてなることを特徴とする請求項１乃至請求項３のいずれかに記載のキッチンユニット。
【請求項５】
前記引出しを収容する収容部の後部の底面には、引出しが収容されるにつれて引出しを上方へ移動させ、これにより連結口をダクトの下端に密接させるための傾斜部が設けられてなることを特徴とする請求項４に記載のキッチンユニット。
【発明の詳細な説明】
【技術分野】
【０００１】
本発明は、ゴミ収納部を備えたキッチンユニットに関するものである。
【背景技術】
【０００２】
従来より、キッチンにおける調理等で生じたゴミを室内に設けられたゴミ投入口に投入し、ダクトを介して室外に設けられたゴミ収納部に排出するキッチンシュータを備えたキッチンユニットが知られている。
【０００３】
このようなキッチンシュータを備えたキッチンユニットにおいては、ゴミ投入口はキッチンユニット後方の壁に設けられ、ゴミ投入口に投入されたゴミが室外のゴミ収納部に自然落下するように壁内にダクトを設置している。そして、ゴミ収納部にたまったゴミは室外側から取り出すようにしている。
【０００４】
一方、ゴミ投入口をカウンターに上面が開口するように設け、ゴミ投入口に投入されたゴミをダクトを介してキャビネット内部に備えたゴミ処理装置内に導入し、このゴミ処理装置内においてゴミを加熱して乾燥処理する機能を備えたキッチンユニットが知られている。（特許文献１）
【特許文献１】特開２００３−６１７６７公報
【発明の開示】
【発明が解決しようとする課題】
【０００５】
しかしながら、キッチンと居間との間に設置される対面式のキッチンユニットや、キッチンユニット後方の壁が窓になっているキッチンユニットのようにゴミ投入口を設置するための壁がない場合、あるいはセカンドキッチン等の建物の２階以上のフロアに設置されるキッチンユニットのように室外にゴミ収納部を設置しにくい場合においては、従来のキッチンシュータを採用することが困難であった。
【０００６】
また、上記特許文献１におけるキッチンユニットにおいては、ゴミを加熱して乾燥処理するゴミ処理装置を備えるために装置が大掛かりなものとなり、コストアップにもつながるものであった。
【０００７】
本発明は、かかる事由に鑑みてなしたもので、その目的とするところは、ゴミ投入口を設置するための壁がない場合や建物の２階以上のフロアに設置される場合においても適用可能であり、構造が簡単で、しかもゴミの収納量を多くすることができるキッチンユニットを提供することにある。
【課題を解決するための手段】
【０００８】
上記課題を解決するために、本発明では、第１には、キャビネット上側に設けられたカウンターと、このカウンターの上面からキャビネット内部へ貫通するように設けられたゴミ投入口と、上端がゴミ投入口に接続されて下端からゴミを排出するダクトと、ダクトの下端と着脱自在に連結される連結口を有しゴミ投入口から投入されたゴミを収納するゴミ収納部とを備えたキッチンユニットであって、ゴミ収納部には、収納されたゴミが連結口から離れていくようにゴミを吸引するための吸引装置が備えられてなるようにする。
【０００９】
第２には、ゴミ収納部において、連結口が奥側に設けられるとともに吸引装置が手前側に設けられ、収納されたゴミが奥側から手前側に向かって吸引されるようにする。
【００１０】
第３には、吸引装置には、吸引装置から排出される臭気をゴミ収納部の後部へ移動させる排気筒が備えられてなるようにする。
【００１１】
第４には、キャビネットは引出しと引出しを収容する収容部を備えてなり、この引出し内にゴミ収納部が収められてなるようにする。
【００１２】
第５には、引出しを収容する収容部の後部の底面には、引出しが収容されるにつれて引出しを上方へ移動させ、これにより連結口をダクトの下端に密接させるための傾斜部が設けられてなるようにする。
【発明の効果】
【００１３】
上記本発明の第１のキッチンユニットでは、ゴミ収納部に収納されたゴミが連結口から離れていくようにゴミを吸引することができるので、ゴミが連結口付近に偏ってたまってしまうことを防止でき、しかもゴミ同士の空隙を減らすことができるので、ゴミ収納部内にゴミを多く収納することができる。
【００１４】
上記本発明の第２のキッチンユニットでは、上記第１のキッチンユニットと同様の効果が得られ、また、連結口が奥側に設けられているので、連結口の位置に合わせてゴミ投入口もカウンターの奥側に設けることができ、使用者が調理作業等を行う際にゴミ投入口が邪魔になるのを防ぐことができる。
【００１５】
上記本発明の第３のキッチンユニットでは、上記第１のキッチンユニットと同様の効果が得られ、また、吸引装置から排出される臭気をゴミ収納部の後部へ移動させることができるので、キッチンユニット前方に臭気が排出されるのを防ぐことができる。
【００１６】
上記本発明の第４のキッチンユニットでは、上記第１のキッチンユニットと同様の効果が得られ、また、ゴミ収納部をキッチンユニット前方に引き出すことができるので、ゴミ収納部にたまったゴミを取り出しやすくなる。
【００１７】
上記本発明の第５のキッチンユニットでは、上記第１のキッチンユニットと同様の効果が得られ、また、引出しの開閉操作によって連結口とダクトの下端との着脱を行うことができるので、操作性がよい。
【発明を実施するための最良の形態】
【００１８】
本発明の実施形態におけるキッチンユニット１について、図１〜３に基づいて説明する。本実施形態におけるキッチンユニット１は、キャビネット２の上側に設けられたカウンター３と、このカウンター３の上面からキャビネット２内部へ貫通するように設けられたゴミ投入口４と、上端がゴミ投入口４に接続されて下端からゴミを排出するダクト５と、ダクト５の下端と着脱自在に連結される連結口６を有しゴミ投入口４から投入されたゴミを収納するゴミ収納部７とを備えている。
【００１９】
ゴミ投入口４はカウンター３の後部において上面が開口するように設けられており、ダクト５はシンク１２の後方の配管スペースを利用して設けられている。
【００２０】
連結口６にはゴミ袋１０が着脱自在に取り付けられており、ゴミ投入口４から投入されたゴミはダクト５を通ってゴミ袋１０内に収納される。
【００２１】
ゴミ収納部７には、収納されたゴミが連結口６から離れていくようにゴミを吸引するための吸引装置８が備えられている。
【００２２】
ここで、ゴミ収納部７において、連結口６が奥側に設けられるとともに吸引装置８が手前側に設けられ、収納されたゴミはフィルター９を介してキッチンユニット１の前面側（図１における左側）に吸引されるようになっている。
【００２３】
キャビネット２は引出し１１を備えており、この引出し１１内にゴミ収納部７が収められている。
【００２４】
そして、引出し１１をキッチンユニット１の前方に引き出すことにより、ゴミ収納部７に収納されたゴミをゴミ袋１０ごと取り出すことができ、その後、新しいゴミ袋１０を取り付けることができる。
【００２５】
引出し１１を収容する収容部１３の後部の底面には、引出し１１が収容されるにつれて引出し１１を上方へ移動させるための傾斜部１４が設けられており、この引出し１１の上方への移動により連結口６をダクト５の下端に密接させるようになっている。
【００２６】
吸引装置８には排気筒１５が接続されており、吸引装置８から排出される臭気をゴミ収納部７の後部へ運び、壁１７に設けられた排気孔１６から排気するようになっている。
【００２７】
以上のように、本実施形態におけるキッチンユニット１は、ゴミ収納部７に収納されたゴミが連結口６から離れていくようにゴミを吸引することができるので、ゴミが連結口６付近に偏ってたまってしまうことがなく、しかもゴミ同士の空隙を減らすことができるので、ゴミ収納部７内にゴミを多く収納することができる。
【００２８】
また、連結口６が奥側に設けられているので、連結口６の位置に合わせてゴミ投入口４もカウンター３の奥側に設けることができ、使用者が調理作業等を行う際にゴミ投入口４が邪魔になるのを防ぐことができる。
【００２９】
また、吸引装置８から排出される臭気をゴミ収納部７の後部へ移動させることができるので、キッチンユニット１前方に臭気が排出されるのを防ぐことができる。
【００３０】
また、ゴミ収納部７が引出し１１内に収められており、引出し１１ごとゴミ収納部７をキッチンユニット１の前方に引き出すことができるので、ゴミ収納部７にたまったゴミを取り出しやすくなる。
【００３１】
また、引出し１１を収容する収容部１３の後部の底面に傾斜部１４が設けられており、引出し１１の開閉操作により連結口６とダクト５の下端との着脱を行うことができるので、操作性がよい。
【図面の簡単な説明】
【００３２】
【図１】本発明の実施形態におけるキッチンユニット１の断面図である。
【図２】同実施形態における引出し１１をキッチンユニット１の前方に移動させた場合のキッチンユニット１の断面図である。
【図３】同実施形態におけるゴミ収納部７を上方から見た平面図である。
【符号の説明】
【００３３】
１  キッチンユニット
２  キャビネット
３  カウンター
４  ゴミ投入口
５  ダクト
６  連結口
７  ゴミ収納部
８  吸引装置
１１  引出し
１４  傾斜部
１５  排気筒
【図１】
2005304865.tif 000003
【図２】
2005304865.tif 000004
【図３】
2005304865.tif 000005